(57)【要約】  本発明はデッキボード（１）に関し、より詳細には、材料を減らしたデッキボード１）に関する。本発明によれば、少なくとも１つのフランジ（７）で終端する少なくとも１つの有効に下方に垂下する支持脚部（５）を有する有効な上側ボード部分（４）と、凹面を有するフランジ（７）の下側とを備えるデッキボード（１）が提供される。【選択図】  図１
2021507141.tif 000002
【特許請求の範囲】
【請求項１】
少なくとも１つのフランジで終端する少なくとも１つの有効に下方に垂れ下がる支持脚部を有する有効な上側ボード部分を備え、前記フランジの下側は凹面を有する、デッキボード。
【請求項２】
前記上側ボード部分の下面が凹面を有する、請求項１に記載のデッキボード。
【請求項３】
２つのフランジが前記脚部の下端の反対側から横方向に延在する、請求項１又は２に記載のデッキボード。
【請求項４】
スリップ防止構造が前記上側ボード部分の上面に配置されている、請求項１〜３のいずれかに記載のデッキボード
【請求項５】
前記スリップ防止構造が、多数の平行な細長い溝または平行な細長い突起である、請求項４に記載のデッキボード。
【請求項６】
細長い本体を含み、断面において、互いに接続された有効な水平な上側または頭部部分と、それらの自由端が離間されるように頭部部分よりも長さが短い、有効に水平に延在する下側脚部分とを有する、複数の実質的にＩビーム形状の部分を有する、デッキボード。
【請求項７】
前記Iビームの中央接続部分が前記Ｉビーム形状を完成させるように前記上側および下側部分を接続する、請求項６に記載のデッキボード。
【請求項８】
前記脚部分の下面が凹状である、請求項６に記載のデッキボード。
【請求項９】
接続された前記頭部部分の下面が凹状である、請求項６または７に記載のデッキボード。
【請求項１０】
前記脚部分の上面は、実質的に有効な水平である、請求項１〜９のいずれか１項に記載のデッキボード。
【発明の詳細な説明】
【技術分野】
【０００１】
本発明はデッキボード（デッキ板）に関し、より詳細には、材料を減らしたデッキボードに関する。
【背景技術】
【０００２】
中空デッキボードまたは材料を減らしたデッキボードはよく知られており、広く使用されている。これらのデッキボードはより少ない材料を使用することにより、より軽く、より安価に製造することができる。
【０００３】
正方形または丸い穴を有する中空デッキボードの欠点は、それらが水浸しになる可能性があることである。このようにデッキボード内に集められた水は温度変動により材料を損傷し、デッキボード内で腐食を引き起こす可能性がある。
【０００４】
いくつかのデッキボードはその中に穴を有していないが、開いた、材料が減少した部分を有する。
【０００５】
ニューテックワールド（NewTechWood）は、http://www.newtechwood.com:のウェブサイトで次のように主張している。
【０００６】
中空と中実コア複合デッキボードの比較
中空の複合デッキボードと中実コア複合デッキボードの利点と欠点は何か？
【０００７】
米国のほとんどの複合デッキボード製造業者は、中実コアボードのみを提供している。主な理由は、中空ボードに対するこれらのボードを製造する際の速度及び容易さに起因する。中実複合ボードを押し出すことは、中空であるよりもはるかに容易かつ迅速である。ほとんどの製造業者は中空ボードを製造するための困難に対処したり、余分な時間を費やしたりすることを望んでいない。
【０００８】
では、ニューテックワールドはなぜ中空のボードを提供しているのだろうか 
ニューテックワールドは中空のボードを提供している米国で唯一の企業であり、いくつかの理由でそうしている。中空ボードを提供することは、中実ボードと比較した場合に、１６’ボードの重量を３２％または１０ポンドほど削減する。これにより、作業が容易になり、構造が健全な場合に古いデッキを改造する場合で表面板の交換だけをしたい場合、中空板は、中実板よりも古い下部構造に生じる応力が少なくなる。
【０００９】
中実ボードと比較した中空ボードの強度の違いは何か？ 
多くの人々は、ボードは中空であるため、中実ボードよりもかなり弱いだろうと考えている。実際には、ニューテックワールドの中空ボードにおける空隙のアーチ構造がコアにおけるより少ない材料の使用を補っている。米国の国際規格審議会で定められた最長スパンの工業規格は中央で１６インチである。これは、下部構造の各ジョイントは、１つのジョイントの中心から隣のジョイントの中心まで１６インチでなければならないことを意味する。ほとんどの中実ボードのメーカーのための設置ガイド（インストールガイド）は中心で１６インチ以下のスパンを必要とする。ニューテックワールドが提供する中空ボードも、中心１６インチでＩＣＣにより評価されている。これは、ニューテックワールドのウルトラシールド中空ボードは、中実ボードとまったく同じようにホットタブを保持することを意味する。ニューテックワールドは、中実のコアボードも提供している。これらは、隠れたファスナーの溝を見せたくない階段やその他の設備、またはフェーシアボードを設置しない場合に推奨され、また、商業的な設備にも推奨される。
【００１０】
価格の違いは何であるか？ 
これは、おそらく、中実ではなくニューテックワールドウルトラシールド中空ボードを使用する最も魅力的な理由である。基板は中空であるため、製造プロセスにおいて使用される材料は少ない。これにより、ニューテックワールドは、節約を消費者に届けることができる。コストの節約は、２２％もの大きなものとなり得る。たとえば、１２’×１６’のデッキを構築する場合、材料のコストを３６３．００ドル節約できる。これは、自宅の他の優先事項に費やすには相当な額である。
【００１１】
Andersen Corporation名義の「Hollow profile decking system comprising plank and anchor using anchor flange construction」という名称の米国特許出願第２００３０１５４６６２A１号が下記を開示している：
支持構造体上で使用するためのデッキシステム、デッキ構成要素、および設置されたデッキ。デッキシステムは、デッキまたはプラットフォームを形成するためにアンカー構造と協働するアンカーフランジを対向する縁部に有する中空プロファイル・プランク・ユニットを備える。フランジおよびアンカーユニットは密接に相互作用し、設置されたプラットフォーム構造を形成するように成形され、構成される。プランク（又は、厚板）は、設置、設置されたプラットフォームにかかる工学的力、耐候性および使用に耐えるのに十分な内部構造を有する押出熱可塑性木材繊維複合材を含む。アンカー構造は、デッキを所定の位置に保持するためにデッキプロファイル上のアンカーフランジに適合する形状を有する。
【００１２】
この特許出願は、中空プロファイル厚板ユニットの断面を示す以下の図面を含む。水が開口部または孔４６に閉じ込められる（トラップされる）ことは明らかである。
2021507141.tif 000003
【００１３】
Eva-Last Distributors (Pty) Ltd名義の南アフリカ仮特許出願第２０１６／０５９９５号は、アーチ状の下面を有する材料を減らしたデッキボードを開示している。アーチはデッキボードに切り込まれ、それはさもなければ中実であるから、使用される材料の量が減少する。この仮特許出願は、参照によりその全体が本明細書に含まれる。
【発明の開示】
【発明が解決しようとする課題】
【００１４】
本発明の目的は、上述の問題を少なくとも部分的に軽減するデッキボードを提供することである。
【課題を解決するための手段】
【００１５】
本発明に従い、少なくとも１つのフランジで終端する少なくとも１つの有効に下方に垂れ下がる支持脚部を有する有効な上側ボード部分を備え、前記フランジの下側は凹面を有する、デッキボードが提供される。
【００１６】
前記上側ボード部分の下面が凹面を有するように形成される。
【００１７】
本発明の更なる特徴は、前記脚部の下端の反対側から横方向に延在する２つのフランジを提供する。
【００１８】
さらに、スリップ防止構造が前記上側ボード部分の上面に配置される。
【００１９】
前記スリップ防止構造は、多数の平行な細長い溝または平行な細長い突起であってよい。
【００２０】
本発明は、細長い本体を含み、断面において、互いに接続された有効な水平な上側または頭部部分と、それらの自由端が離間されるように頭部部分よりも長さが短い、有効に水平に延在する下側脚部分とを有する、複数の実質的にＩビーム形状の部分を有する、デッキボードも含む。
【００２１】
前記Iビームの中央接続部分が前記Ｉビーム形状を完成させるように前記上側および下側部分を接続する。
【００２２】
前記脚部分の下面は凹状である。
【００２３】
接続された前記頭部部分の下面は凹状である。
【００２４】
前記脚部分の上面は、実質的に有効な水平である。
【００２５】
これらの特徴は、以下でより詳細に説明される。
【図面の簡単な説明】
【００２６】
本発明の一実施形態を、単なる例として、図面を参照して以下に説明する。 
図１は、本発明によるデッキボードの上方斜視図を示す。
図２は、図１のデッキボードの下側斜視図を示す。
図３は、図１および図２のデッキボードの平面図を示す。
図４は、図１〜３のデッキボードの底面図を示す。
図５は、図１〜図４のデッキボードの左側面図を示す。
図６は、図１〜５のデッキボードの右側面図を示す。
図７は、図１〜６のデッキボードの正面図を示す。
図８は、図１〜７のデッキボードの後面図を示す。
【発明を実施するための形態】
【００２７】
図面を参照すると、デッキボードの全体が参照番号１で示されている。
【００２８】
デッキボード１は、上側ボード部分４の下側表面８から下方に延びる多数の有効な（又は、動作可能な）下方に垂下する支持脚部５を有する効用を生むような上側ボード部分（ボードセクション）４を有する細長い本体を含む。
【００２９】
各脚部の下端８は横方向に延在するフランジで終わり、実質的には、脚部５の下端６の両側から離れて横方向に延在する２つの横方向に延在するフランジ７を形成する。
【００３０】
断面プロファイル図では脚部、フランジ、および上側ボード部分は互いに接続された上部または頭部部分と、間隔を置いて配置された下部足部分とを並べて接続されたIビーム部分に似ている。
【００３１】
各フランジ７の下面９は凹状である。上側ボード部分４の下面８は下方に垂下する脚部５との間で凹状とされている。フランジの上部表面７ａは効用を生むような（又は、操作的に）平準化（又は、平坦化）されており、使用時に、その上部にあるファスナークリップ（固定クリップ）の一部を受け取る。
【００３２】
上側ボード部分４の上面２は、デッキボード１の主軸と平行な一連の平行で細長い溝の形態の滑り止め構造を含む。必要に応じて、任意の他の便利な滑り止め構造が上面に形成されてもよいことは、当業者には理解されるのであろう。
【００３３】
使用時には、デッキが形成される下部構造（又は、副構造）のジョイント（又は、梁）の上にデッキボードが並んで配置される。デッキボードは当技術分野で知られているように、ファスナークリップで取り付けられる。ファスナークリップのウイングまたは他の部分は、デッキボードの反対側の外縁にあるフランジの上面７ａの一部に位置する。
【００３４】
このように、本発明は細長い本体を含むデッキボードを提供し、このデッキボードは断面において、互いに接続された有効な（又は、動作可能な）水平な上部または頭部部分と、それらの自由端が離間されるように、頭部部分よりも長さが短い下側の有効（又は、動作可能な）水平に延在する脚部分とを有する、いくつかの実質的にIビーム形状の部分を有する。
【００３５】
Iビームの中央接続部分は、Iビーム形状を完成させるために上側部分と下側部分とを接続する。足部分の下面は凹形状である。接続された頭部部分の下側は凹形状である。足部分の上面は、実質的に有効に（又は、動作可能に）水平である。
【００３６】
ボードのすべてのコーナーおよびエッジは丸みを帯びており、アーチ状の表面（８および９）はボードの強度を増し、改善された荷重分布を確実にする。離間したフランジにより、ボードから水が容易に排出される。水が水平面７ａ、特にデッキボードの対向する外縁の水平面７ａに集まっても、これらの面は露出され、比較的迅速に乾燥する。したがって、水は、ボード上またはボード内で、望ましくない長さの時間にわたって収集されないか、または収集されず、それによって、その耐久性を向上させる。ボードは、中実ボードよりも少ない材料を使用する結果として、比較的軽量である。しかしながら、ボードは、十分に強く、目的に適合したままである。
【００３７】
当業者であれば、本発明の範囲から逸脱することなく、多くの他の実施形態が可能であることを理解するであろう。
【図１】
2021507141.tif 000004
【図２】
2021507141.tif 000005
【図３】
2021507141.tif 000006
【図４】
2021507141.tif 000007
【図５】
2021507141.tif 000008
【図６】
2021507141.tif 000009
【図７】
2021507141.tif 000010
【図８】
2021507141.tif 000011
【国際調査報告】
2021507141.tif 000012
2021507141.tif 000013